(57)【要約】【課題】調整リングに、レンズフード等の付属物を着脱自在に装着するタイプの場合であっても、極めて簡易な構造でありながら、付属物を著しく容易に装着し又は取り外すこと。【解決手段】調整リング１の外周部に、たとえばボールペン１０のペン先１０ａ（係合部材）のような突起物が入る大きさの工具孔１１（係合孔又は溝）が設けてある。そのため、レンズフード７の装着又は取り外し時には、調整リング１の工具孔１１に、ボールペン１０のペン先１０ａを係合しさえすれば、レンズフード７側を回転しながら、同時に、調整リング側を静止（非回転）の状態に容易に維持することができる。【選択図】  図１
2004252357.tif 000002
【特許請求の範囲】
【請求項１】
カメラのレンズに着脱自在に装着する固定リングに、フィルターを保持した調整リングを回転可能に組み合わせたカメラ用フィルターにおいて、
前記調整リングの先端部に、付属物を着脱自在に装着する装着部を有し、
前記調整リングの外周面に、係合部材に係合する係合部が形成してあることを特徴とするカメラ用フィルター。
【請求項２】
前記係合部は、前記調整リングの外周面に形成した係合孔又は溝であることを特徴とする請求項１に記載のカメラ用フィルター。
【発明の詳細な説明】
【０００１】
【発明の属する技術分野】
本発明は、カメラのレンズに着脱自在に装着する固定リングに、偏光フィルター等のフィルターを保持した調整リングを回転可能に組み合わせたカメラ用フィルターに関する。
【０００２】
【従来の技術】
カメラ用フィルター、特に、偏光フィルターは、カメラのレンズの先端に取付け、カメラのレンズに対して、偏光フィルターを回転させて使用するものであり、所定の撮影効果を得ることができ、カメラ用フィルターの中でも、使用頻度が比較的高いフィルターである。
【０００３】
この偏光フィルターは、偏光フィルターを保持して固定する調整リングと、カメラのレンズに螺合により着脱自在に装着する固定リングとからなる。調整リングと固定リングとの対向面に夫々形成した環状周溝内に、抜け止め用ワッシャーが介装してあり、これにより、調整リングが固定リングに対して回転可能に一体的に組み合わせてある。偏光調整時には、調整リングを光軸の廻りに回転すると、偏光フィルターを回転することができる。
【０００４】
ところで、このような偏光フィルターの調整リングの先端のネジ部には、レンズフードやキャップ等の付属物のネジ部が螺合し、又は螺合解除することにより、これらレンズフードやキャップ等の付属物が偏光フィルターに対して着脱できるようになっている。
【０００５】
例えば、レンズフード等の付属物を取付ける時には、偏光フィルターの調整リングのネジ部に、レンズフード等のネジ部を螺合する。この螺合の際、レンズフード等側を回転させるためには、調整リング側は、静止（非回転）の状態に維持しておく必要がある。
【０００６】
しかし、この調整リングの外周部の部分は、光軸方向に極めて狭くなっており、調整リングを手で掴もうとしても、掴む範囲が狭いことから、しっかりと掴めず滑ってしまい、レンズフード等の螺合に時間が掛かったり、螺合の緩みが生じたりといったことがある。なお、固定リングのみを手で掴んで静止（非回転）の状態に保持したとしても、調整リングがレンズフード等と共に回転してしまい、レンズフード等を調整リングに取付けることができない。
【０００７】
また、レンズフード等を取り外す際にも、調整リングを手で掴もうとしても、掴む範囲が狭いことから、固く螺合されたレンズフード等の取り外しが困難であるといったことがある。
【０００８】
なお、特許文献１は、調整リングの外周面に手を掛けることが難しく、偏光調整時に、調整リングの回転が困難であることから、レンズフードに間接的に、調整リングを回転するためのローラを設けたものである。調整リングの外周部の掴む範囲が狭いといったことでは、上記の問題点に共通するが、レンズフード自体は、カメラのレンズに取付けてあり、上記の問題点の前提のように、レンズフードが偏光フィルターの調整リングに取付けるてあるものではない点で異なる。
【０００９】
また、例えばゴム材のシートのようなもので、調整リングとレンズフード等の両方または片方を滑らないように掴んで、一方を固定させ他方を回転させるか、または双方を相反する方向に回転させることや、調整リングと固定リングの外周にローレットを滑り止めとして施すことで、上述した問題点を解決している。
【００１０】
【特許文献１】
特開平９−２９２６４７号公報
【００１１】
【発明が解決しようとする課題】
しかしながら、偏光フィルターは、カメラレンズに入射する光線のケラレを防ぐために、薄枠化が一層進み、それと共に、調整リングも薄枠化され、調整リングまたは固定リングの手で掴む範囲が狭くなってきている。
【００１２】
さらに、偏光フィルターがカメラのレンズ本体に装着している状態で、調整リングを回転させるとき、回転させるべき調整リングと固定リングを触感で明確に判別させるために、調整リングの外径を固定リングの外径より小さく形成されている偏光フィルターがある。
【００１３】
このような結果、調整リングに対してレンズフード等を取付け又は取り外す場合、ゴム状シートでしっかりと掴める範囲、またはローレットが施されている範囲が十分にない。従って、偏光フィルターの調整リングにレンズフード等の付属物を着脱自在に装着するタイプの場合には、レンズフード等の装着又は取り外しが極めて困難であるといったことがある。
【００１４】
本発明は、上述したような事情に鑑みてなされたものであって、調整リングに、レンズフード等の付属物を着脱自在に装着するタイプの場合であっても、極めて簡易な構造でありながら、付属物を著しく容易に装着し又は取り外すことができるカメラ用フィルターを提供するこにある。
【００１５】
【課題を解決するための手段】
上記の目的を達成するため、本発明の請求項１に係るカメラ用フィルターは、カメラのレンズに着脱自在に装着する固定リングに、フィルターを保持した調整リングを回転可能に組み合わせたカメラ用フィルターにおいて、
前記調整リングの先端部に、付属物を着脱自在に装着する装着部を有し、
前記調整リングの外周面に、係合部材に係合する係合部が形成してあることを特徴とする。
【００１６】
また、請求項２に係るカメラ用フィルターは、請求項１において、前記係合部は、前記調整リングの外周面に形成した係合孔又は溝であることを特徴とする。
【００１７】
【発明の実施の形態】
以下、本発明の実施の形態に係るカメラ用フィルターを図面を参照しつつ説明する。
【００１８】
図１は、本発明の実施の形態に係るカメラ用偏光フィルターの断面図である。図２は、図１のＡ−Ａ線に沿った断面図である。
【００１９】
図１及び図２に示すように、カメラ用偏光フィルターは、調整リング１と、固定リング２と、調整リング１の内周面に固定した偏光フィルター３とからなる。
【００２０】
調整リング１は、偏光フィルター３を保持している小径筒部１ａと、これより径の大きい中径筒部１ｂと、これより径が大きく、撮影時に撮影者が調整リング１を回転操作する際の操作部となる大径筒部１ｃとからなる。
【００２１】
固定リング２は、小径筒部２ａと、これより径が大きく、外周面にカメラのレンズ鏡筒５に装着するためのネジ部４が形成してある中径筒部２ｂと、これより径が大きく、カメラのレンズ鏡筒５への装着時に撮影者が螺合の操作をする大径筒部２ｃとからなる。
【００２２】
調整リング１と固定リング２との対向面に夫々形成した環状周溝内に、抜け止め用ワッシャー６が介装してあり、これにより、調整リング１が固定リング２に対して回転可能に一体的に組み合わせてある。偏光調整時には、調整リング１を光軸の廻りに回転すると、偏光フィルター３を回転することができる。
【００２３】
調整リング１には、レンズフード７を着脱自在に装着するための装着部８が形成してある。具体的には、螺合手段によりレンズフード７を装着するため、レンズフード７側には、雄ネジが形成してあり、調整レンズ１の装着部は、雌ネジが形成してある。
【００２４】
図１及び図２に示すように、本実施の形態では、調整リング１の外周部に、たとえばボールペン１０のペン先１０ａ（係合部材）のような突起物が入る大きさの工具孔１１（係合孔又は溝）が設けてある。なお、本例では、工具孔１１は、光軸に垂直な方向に延びており、その深さは１ｍｍである。
【００２５】
ここで、調整リング１の外周部において、工具孔１１が設けられている箇所は、偏光フィルターの名称の印刷文字を妨げない箇所であり、工具孔１１と印刷文字が施されている箇所以外には、調整リング１を掴み易くし回転させ易いように施したローレットが設けられていても良い。
【００２６】
調整リング１の装着部８に、レンズフード７を螺合して装着する時は、たとえばボールペン１０を手で握り、該ボールペン１０のペン先１０ａを調整リング１の工具孔１１に差し込んだ状態で、調整リング１が光軸を中心にレンズフード７の回転方向と同じ方向に回転しないように固定させて、レンズフード７を回転させることで、調整リング１がレンズフード７に螺合したまま、レンズフード７と同じ回転方向に回転することを阻止でき、素早く且つ螺合後の緩みもなく最後までしっかりとレンズフード７を調整リング１の装着部８に螺合させることができる。
【００２７】
また、同様に、調整リング１の装着部８からレンズフード７を螺合解除して取り外す場合には、調整リング１の工具孔１１に手で握ったボールペン１０のペン先１０ａを差込み、調整リング１が光軸を中心にレンズフード７の回転方向と同じ方向に回転しないように固定させて、レンズフード７を螺合させた場合と逆の回転方向に回転させることで、調整リング１がレンズフード７に螺合したまま、レンズフード７と同じ回転方向に回転することを阻止でき、素早く取り外すことができる。
【００２８】
従って、レンズフード７を調整リング１に装着する場合、または、レンズフード７を調整リング１から取り外す場合、調整リング１の手で掴む範囲が十分になくても、ボールペン１０のペン先１０ａのような突起物を使用して、レンズフード７の装着と取り外しを素早く行うことができる。
【００２９】
本発明は、上述した実施の形態の構造に限定されず、各部の形状、構造等を、適宜変形、変更することは、自由であり、種々の変形が考えられる。たとえば、上述した実施の形態では、調整リング１に施した工具孔１１の数が１つの例を用いたが、必要且つデザイン的にも問題がなければ、これに限定されないことは言うまでもない。
【００３０】
また、工具孔１１に差し込む突起物（係合部材）においても、実施の形態ではボールペン１０のペン先１０ａの場合を例示したが、折れにくい剛性をもち、工具穴に入る大きさであれば、これに限定されることもない。
【００３１】
さらに、調整リング１の先端部に着脱自在に装着する付属物は、フードレンズに限定されず、キャップ等、他のものであってもよい。また、例えば、フィルターは、偏光フィルターに限定されず、クロスフィルター等のように、他のフィルターであってもよい。
【００３２】
【発明の効果】
以上説明したように、本発明によれば、調整リングの先端部に、付属物を着脱自在に装着するタイプにおいて、調整リングの外周面に、係合部材に係合する係合部が形成してある。そのため、付属物の装着又は取り外し時には、調整リング外周面の係合部に、係合部材を係合しさえすれば、付属物側を回転しながら、同時に、調整リング側を静止（非回転）の状態に容易に維持することができる。
【００３３】
従って、調整リングに、レンズフード等の付属物を着脱自在に装着するタイプの場合であっても、極めて簡易な構造でありながら、付属物を著しく容易に装着し又は取り外すことができる。
【００３４】
また、ゴム状シートやローレットの形成は、全く不要であり、調整リングが光軸方向に一層薄肉化された場合、調整リングの径が固定リングの径より小さくされた場合にも、十分に対処することができる。
【図面の簡単な説明】
【図１】本発明の実施の形態に係るカメラ用偏光フィルターの断面図である。
【図２】図１のＡ−Ａ線に沿った断面図である。
【符号の説明】
１  調整リング
１ａ  小径筒部
１ｂ  中径筒部
１ｃ  大径筒部
２  固定リング
２ａ  小径筒部
２ｂ  中径筒部
２ｃ  大径筒部
３  偏光フィルター（フィルター）
４  ネジ部
５  レンズ鏡筒
６  抜け止め用ワッシャー
７  レンズフード（付属物）
８  装着部
１０  ボールペン
１０ａ  ペン先（係合部材）
１１  工具孔（係合孔又は溝、係合部）
【図１】
2004252357.tif 000003
【図２】
2004252357.tif 000004